(57)【要約】      （修正有）【課題】異なった飲料見本に対して共通の装飾を施すことができてコストを削減できる自動販売機用商品見本保持具の提供。【解決手段】全体が透明又は半透明の合成樹脂薄板状材を変形させることにより成形されており、内部に前記商品見本シートをその表示面を前記円筒状の内面に沿わせるように湾曲させて嵌め合わされる半円筒状に形成された商品見本シート収容部２を有し、その上側にこれと一体に上方に向けて延長された上方延長片３の上端には、ヒンジ部８を介して垂下された背面押さえ片９を一体に設け、上方延長片３には、その前面側に突出させて背面側を凹ませた表示片収容凹部１０を一体に有するとともに、背面押さえ片９には、表示片収容凹部１０に嵌合される凹部閉鎖用凸部１１を一体に有し、表示片収容凹部１０には、商品見本シートに表示された商品のキャッチコピー等の販売促進用の表示を施した表示片Ｃが取り換え可能に収容されるものとする。【選択図】図１
2013218588.tif 000002
【特許請求の範囲】
【請求項１】
自動販売機に収容されている飲料入り容器の外観を表示した商品見本シートを半円筒に丸めた状態で収容する商品見本シート収容部を有し、自動販売機の見本陳列棚に立設可能にした自動販売機用商品見本保持具において、
全体が透明又は半透明の合成樹脂薄板状材を変形させることにより成形されており、
前記商品見本シート収容部は、内部に前記商品見本シートをその表示面を前記円筒状の内面に沿わせるように湾曲させて嵌め合わされる半円筒状に形成され、
該商品見本シート収容部の上側にこれと一体に上方に向けて延長された上方延長片を一体に有し、
該上方延長片の上端には、ヒンジ部を介して該上方延長片の背面側に重ね合わせて垂下された背面押さえ片が一体に設けられ、
前記上方延長片には、その前面側に突出させて背面側を凹ませた表示片収容凹部を一体に有するとともに、前記背面押さえ片には、前記表示片収容凹部に嵌合される凹部閉鎖用凸部を一体に有し、
前記表示片収容凹部には、適宜表示を施した表示片が取り換え可能に収容されるようにしたことを特徴としてなる自動販売機用商品見本保持具。
【請求項２】
前記商品見本シート収容部の両側縁には、フランジ状の張り出し片が一体に備えられ、前記上方延長片及び背面押さえ片の幅を、前記両張り出し片の外側縁間と同幅に形成され、前記張り出し片の背面側及び前記上方延長片の内の前記表示片収容凹部を除く背面位置に、表面側に適宜装飾を施した周縁装飾片を重ね合わせ、これを前記背面押さえ片によって脱落防止させるようにしてなる請求項１に記載の自動販売機用商品見本保持具。
【請求項３】
前記背面押さえ片の下端は、前記商品見本シート収容部の上端部背面に達する長さに形成され、該背面押さえ片の前記商品見本シート収容部背面に対向する位置の前面側には、前記商品見本シート収容部内に嵌り合う開き止め用凸部が一体に備えられ、該開き止め用凸部の両側部と前記商品見本シート収容部開口縁部に、互いに係止される係止突起が一体に備えられている請求項１又は２に記載の自動販売機用商品見本保持具。
【発明の詳細な説明】
【技術分野】
【０００１】
本発明は、飲料用の自動販売機の見本陳列棚に立設させ、商品見本シートを半円筒に丸めた状態で収容する商品見本シートと、これを装飾するための装飾材を取り換え可能に保持させる自動販売機用商品見本保持具に関する。
【背景技術】
【０００２】
従来、飲料用の自動販売機においては、販売商品陳列窓内の棚に販売商品を表す表示品を並べて陳列し、各表示品に対応した位置にあるボタンを押すことによって、該表示品に対応するする商品が選択されるようになっている。
【０００３】
この種の自動販売機における飲料見本は、従来、販売されている商品と同じ形状をした缶、ボトル、カップ等の見本が展示されていたが、近年に至り、商品形状を半割状にしてコストを低減させたものや、合成樹脂薄板にプリントを施し、これを半円筒状に丸めて基台に装着することにより立体化させたものが使用されるに至っている（例えば特許文献１〜３）。
【０００４】
また、購買意欲を高めるための心理的効果を企図したものとして、見本形状以外の部分に、キャッチフレーズや他の商品に比べて印象を強くするための特別な装飾を施したものが開発され、近年に至り、商品形状を表す表示品部分と一体に、その周囲に、上記した装飾を一体に成形したものが開発されている。これらは、合成樹脂薄板を加熱して型内に真空引きすることによって一体成形された販促表示付の自動販売機用の飲料見本としている（例えば特許文献４〜６）。
【先行技術文献】
【特許文献】
【０００５】
【特許文献１】特開平１１−２７２９４２号公報
【特許文献２】特開２００４−１５２０７０号公報
【特許文献３】特開２００５−１８２４２９号公報
【特許文献４】特開２００６−２０９３０２号公報
【特許文献５】特開２０１０−２１８５１２号公報
【特許文献６】特開２０１０−１９８５６０号公報
【発明の概要】
【発明が解決しようとする課題】
【０００６】
上述した特許文献１〜３に示されているように平板状の商品見本シートを半円筒状に丸めて装着しこれを取り換え可能にしたものは、形状が簡易であるためにコストを削減できるという利点はあるが、商品を重要者の視覚に訴えて注目させるという、いわゆるアイキャッチ効果を発揮させるためには、このほかに特別の装飾を別部品として設けなければならず、しかも別部品として付加する場合には商品見本との一体感に乏しくなるという問題があった。
【０００７】
また、特許文献４〜６に示されている従来の飲料見本は、特定の商品と一体に販促表示部分が成形されているため、商品見本との一体感は満足されるが、メーカーの違いや飲料の種類の違いに応じて、個別に型を成形し、印刷を施さなければならず、成形型数が多くなり、コスト高となるという問題があった。
【０００８】
本発明はこのような従来の問題に鑑み、従来使用しているものと同様の商品見本シートを半円筒状に丸めて装着する形式のものにあって、商品見本と一体としての取り扱いが可能であり、しかも種類やメーカーの異なった飲料見本に対して共通の装飾を施すことができるようにしてコストを削減できる自動販売機用商品見本保持具の提供を目的としてなされたものである。
【課題を解決するための手段】
【０００９】
上述の如き従来の問題を解決するための請求項1に記載の発明の特徴は、自動販売機に収容されている飲料入り容器の外観を表示した商品見本シートを半円筒に丸めた状態で収容する商品見本シート収容部を有し、自動販売機の見本陳列棚に立設可能にした自動販売機用商品見本保持具において、全体が透明又は半透明の合成樹脂薄板状材を変形させることにより成形されており、前記商品見本シート収容部は、内部に前記商品見本シートをその表示面を前記円筒状の内面に沿わせるように湾曲させて嵌め合わされる半円筒状に形成され、該商品見本シート収容部の上側にこれと一体に上方に向けて延長された上方延長片を一体に有し、該上方延長片の上端には、ヒンジ部を介して該上方延長片の背面側に重ね合わせて垂下された背面押さえ片が一体に設けられ、前記上方延長片には、その前面側に突出させて背面側を凹ませた表示片収容凹部を一体に有するとともに、前記背面押さえ片には、前記表示片収容凹部に嵌合される凹部閉鎖用凸部を一体に有し、前記表示片収容凹部には、適宜表示を施した表示片が取り換え可能に収容されるようにしたことにある。
【００１０】
請求項２に記載の発明の特徴は、請求項１の構成に加え、前記商品見本シート収容部の両側縁には、フランジ状の張り出し片が一体に備えられ、前記上方延長片及び背面押さえ片の幅を、前記両張り出し片の外側縁間と同幅に形成され、前記張り出し片の背面側及び前記上方延長片の内の前記表示片収容凹部を除く背面位置に、表面側に適宜装飾を施した装飾片を重ね合わせ、これを前記背面押さえ片によって脱落防止させるようにしていることにある。
【００１１】
請求項３に記載の発明の特徴は、請求項１又は２の構成に加え、前記背面押さえ片の下端は、前記商品見本シート収容部の上端部背面に達する長さに形成され、該背面押さえ片の前記商品見本シート収容部背面に対向する位置の前面側には、前記商品見本シート収容部内に嵌り合う開き止め用凸部が一体に備えられ、該開き止め用凸部の両側部と前記商品見本シート収容部開口縁部に、互いに係止される係止突起が一体に備えられていることにある。
【発明の効果】
【００１２】
本発明に係る自動販売機用商品見本保持具は、請求項１に記載されているように、全体が透明又は半透明の合成樹脂薄板状材を変形させることにより成形されており、前記商品見本シート収容部は、内部に前記商品見本シートをその表示面を前記円筒状の内面に沿わせるように湾曲させて嵌め合わされる半円筒状に形成され、該商品見本シート収容部の上側にこれと一体に上方に向けて延長された上方延長片を一体に有し、該上方延長片の上端には、ヒンジ部を介して該上方延長片の背面側に重ね合わせて垂下された背面押さえ片が一体に設けられ、前記上方延長片には、その前面側に突出させて背面側を凹ませた表示片収容凹部を一体に有するとともに、前記背面押さえ片には、前記表示片収容凹部に嵌合される凹部閉鎖用凸部を一体に有し、前記表示片収容凹部には、適宜表示を施した表示片が取り換え可能に収容されるようにしたことにより、１つの成形型で、全体を同時に成形することができ、しかも、１つの自動販売機用商品見本保持具をもって、各種の容器入り飲料の商品に対応させた商品見本シート及びこれを装飾することによりアイキャッチ作用を増強さ、商品イメージを印象付けさせることができ、更に、商品見本シートや表示片のデザイン変更に対し、商品見本と表示片だけを取り換えることで、安価で交換が容易となる。
【００１３】
また、本発明は、請求項２に記載されているように、前記商品見本シート収容部の両側縁には、フランジ状の張り出し片が一体に備えられ、前記上方延長片及び背面押さえ片の幅を、前記両張り出し片の外側縁間と同幅に形成され、前記張り出し片の背面側及び前記上方延長片の内の前記表示片収容凹部を除く背面位置に、表面側に適宜装飾を施した周辺装飾片を重ね合わせ、これを前記背面押さえ片によって脱落防止させるようにしたことにより、商品見本シート及び表示片の前面側を除く、前面側に取り換え可能な装飾を施すことが容易である。
【００１４】
更に、本発明は、請求項３に記載されているように、前記背面押さえ片の下端は、前記商品見本シート収容部の上端部背面に達する長さに形成され、該背面押さえ片の前記商品見本シート収容部背面に対向する位置の前面側には、前記商品見本シート収容部内に嵌り合う開き止め用凸部が一体に備えられ、該開き止め用凸部の両側部と前記商品見本シート収容部開口縁部に、互いに係止される係止突起を一体に備えたことにより、簡単な構造で表示片及び周辺装飾片の脱落を防止するとともに、これを容易に取り換え可能とすることができる。
【図面の簡単な説明】
【００１５】
【図１】本発明に係る自動販売機用商品見本保持具の一例とこれに使用する商品見本シート、表示片及び周縁装飾片をしめす分解斜視図である。
【図２】図１に示す構成部品を組み込んだ使用状態を示す斜視図である。
【図３】図１に示す本発明自動販売機用商品見本保持具の正面図である。
【図４】同、背面図である。
【図５】同、側面図である。
【発明を実施するための形態】
【００１６】
次に、本発明の実施の態様を、図面に示した実施例に基づいて説明する。
【００１７】
図は本発明の実施の一例を示すものであり、図において符号Ａは本発明に係る自動販売機用商品見本保持具を示しており、Ｂは商品見本シート、Ｃはキャッチコピー等の販促表示を施した表示片、Ｄは周縁装飾片を示している。
【００１８】
自動販売機用商品見本保持具Ａは、全体が透明又は半透明の合成樹脂板材を成形型の上に置き、加熱して型内に真空引きすることによって全体が同時に一体成形されている。図１は、この成形直後の形状、即ち展開した状態を示している。
この自動販売機用商品見本保持具Ａには、縦長の矩形状をした平板状本体部１を有しており、この平板状本体部１のほぼ下側半分に半円筒状の商品見本シート収容部２を有し、その上方側が上方延長片３となっている。
商品見本シート収容部２は、平板状本体部１の背面側から表面側に膨出させた形状の半円筒状をなし、その両縁が、平板状本体部１自体からなるフランジ状の張り出し片４，４となっている。
商品見本シート収容部２は、その半円筒の底部及び頂部に、それぞれを閉鎖する配置の底板５及び天板６が一体に備えられている。
商品見本シート収容部２の下端部外周には、自動販売機の見本陳列棚の嵌合孔（図示せず）に着脱自在に嵌め合わせることができる差し込み部７が一体に形成されている。
【００１９】
上方延長片３の上端には、線状のヒンジ部８が形成され、このヒンジ部８を介して背面押さえ片９が一体成形されている。この上方延長片３及び背面押さえ片９の幅を、前述した両張り出し片４，４の外側縁間と同幅に形成されている。
【００２０】
上方延長片３には、前面側に突出させることによって背面側を凹ませて形成した表示片収容凹部１０が一体に形成されているとともに、背面押さえ片９には、表示片収容凹部１０に対応する位置に、前面側に突出させた表示片収容凹部１０内に嵌り合う凹部閉鎖用凸部１１が備えられている。この凹部閉鎖用凸部１１は、背面押さえ片９の背面側を凹ませることによって前面側に突出させた形状に形成されている。
【００２１】
背面押さえ片９の下端は、商品見本シート収容部２の上端部背面に達する長さとなっており、その下端部には、商品見本シート収容部２内に嵌り合うように前面側に突出させた開き止め用凸部１２が、背面側を凹ませて前面側に膨出させた形状に形成されている。
【００２２】
この開き止め用凸部１２の突出側端部両側縁に係止突起１３，１３が形成されており、これに対応する商品見本シート収容部２内の上端両側縁に係止突起１４，１４が形成され、開き止め用凸部１２を商品見本シート収容部２ないに嵌め合わせた状態で、両係止突起１４に対し係止突起１３が係合されるようになっており、これによって半面押さえ片９が、上方延長片３及び商品見本シート収容部２の背面に重ね合わされた状態が維持されるようになっている。
【００２３】
商品見本シートＢは、図１に示すように紙又は合成樹脂製のシートに自動販売機にて販売する各種飲料容器の外観の半周面をプリントしたものであり、これを半円筒状に丸めて商品見本シート収容部２内に挿入することにより、該商品見本シート収容部２の半円筒状の内周面に沿った状態に装着されるようになっている。
【００２４】
装着された商品見本シートＢは、その両縁の上側が、前述した係止突起１４，１４に、該両縁の下側が、商品見本シート収容部２の開口縁部の下半位置に形成された係止突起１５，１５に係止されることによって抜け止めされるようになっている。
【００２５】
表示片Ｃは、表示片収容凹部１０の形状に合わせた大きさの平板状材の表面にキャッチコピー等の販促表示、即ち購買者に対するアイキャッチ効果や商品イメージ増長等によって購買欲を促進させるための表示を施したものを使用し、これを表示片収容部１０内に挿入し、その背面側に背面押さえ片９の凹部閉鎖用凸部１１を嵌め合わせることによって脱落が防止されるようになっている。
【００２６】
周縁装飾片Ｄは、商品見本シート収容部２両縁の張り出し片４，４の背面側及び上方延長片３の内の表示片収容凹部１０を除く背面位置に重ね合わせ、これを背面押さえ片９によって押さえることにより脱落防止されている。
周縁装飾片Ｄの前面には適宜の装飾模様が印刷されており、これによって購買者に対するアイキャッチ効果や商品イメージ増長による販売促進作用を所持させるようにしている。
【００２７】
このように構成される自動販売機用商品見本保持具の使用に際しては、各種の商品見本シートＢ、表示片Ｃ及び周縁装飾片Ｄを予め製造しておき、必要に応じてこれらを取り替え使用することによって販売商品の変更に対応させるとともに、商品の購買者に対する商品イメージを異ならせて、購買者に対する新鮮度を維持させ、購買意欲を増長させるようにする。
【符号の説明】
【００２８】
Ａ  自動販売機用商品見本保持具
Ｂ  商品見本シート
Ｃ  表示片
Ｄ  周縁装飾片
１  平板状本体部
２  商品見本シート収容部
３  上方延長片
４  張り出し片
５  底板
６  天板
７  差し込み部
８  ヒンジ部
９  背面押さえ片
１０  表示片収容凹部
１１  凹部閉鎖用凸部
１２  開き止め用凸部
１３，１４，１５  係止突起
【図１】
2013218588.tif 000003
【図２】
2013218588.tif 000004
【図３】
2013218588.tif 000005
【図４】
2013218588.tif 000006
【図５】
2013218588.tif 000007